(57)【要約】      （修正有）【課題】利用者の過去の予定の中で比較的頻度が少ない予定を利用者に気付かせることが可能な利用者端末及びプログラムを提供する。【解決手段】利用者端末１００は、利用者の予定を記憶部１０に登録する登録部１１と、記憶部１０に登録された利用者の過去の予定の中で、当該予定の登録頻度が所定の値より小さい予定を特定する特定部１２と、特定部１２で特定した予定を利用者に通知する通知部１３と、を有する。【選択図】図１
2016197338.tif 000002
【特許請求の範囲】
【請求項１】
利用者の予定を記憶手段に登録する登録手段と、
前記記憶手段に登録された前記利用者の過去の予定の中で、当該予定の登録頻度が所定の値より小さい予定を特定する特定手段と、
前記特定手段で特定した予定を前記利用者に通知する通知手段と、
を有することを特徴とする利用者端末。
【請求項２】
前記特定手段は、
登録頻度が所定の値より小さい予定の中から周期性のある予定を更に特定する、ことを特徴とする請求項１記載の利用者端末。
【請求項３】
前記特定手段は、
前記登録手段により前記記憶手段に登録された前記利用者の過去の予定の登録頻度を、当該予定毎に算出し、該算出した登録頻度が所定の値より小さい予定を特定する、ことを特徴とする請求項１または２記載の利用者端末。
【請求項４】
前記通知手段は、
前記特定手段で特定した予定を前記利用者に通知するための所定の操作が行われた場合に、前記予定を前記利用者に通知する、ことを特徴とする請求項１から３の何れか１項に記載の利用者端末。
【請求項５】
前記通知手段は、
前記特定手段で特定した予定の中から前記所定の操作が行われた時点の日時と相関のある予定を前記利用者に通知する、ことを特徴とする請求項４記載の利用者端末。
【請求項６】
前記特定手段は、
前記記憶手段に登録された前記利用者の予定を当該予定に応じたキーワードで区分し、前記キーワードで区分した予定毎に、前記記憶手段に登録された前記利用者の過去の予定の登録頻度を算出し、該算出した登録頻度が所定の値より小さい予定を特定する、ことを特徴とする請求項１または２記載の利用者端末。
【請求項７】
前記特定手段は、
前記記憶手段に登録された前記利用者の予定に含まれるキーワードを基に、前記利用者の予定を当該予定に応じたキーワードで区分する、ことを特徴とする請求項６記載の利用者端末。
【請求項８】
前記キーワードを設定する設定手段を有することを特徴とする請求項６または７記載の利用者端末。
【請求項９】
利用者の予定を記憶手段に登録する登録処理と、
前記記憶手段に登録された前記利用者の過去の予定の中で、当該予定の登録頻度が所定の値より小さい予定を特定する特定処理と、
前記特定処理で特定した予定を前記利用者に通知する通知処理と、コンピュータに実行させることを特徴とするプログラム。
【発明の詳細な説明】
【技術分野】
【０００１】
本開示は、ユーザのスケジュールを管理する技術に関する。
【背景技術】
【０００２】
従来のスケジュール管理としては、例えば、自己の予定を携帯電話、スマートフォンなどの利用者端末に登録して管理する方法がある。
【０００３】
この種のスケジュール管理は、ユーザが人手操作で予定を利用者端末に登録し、その登録した予定を参照して、その予定を遂行していた。また、登録した予定を利用者にアラームなどで通知し、その予定を遂行していた。
【０００４】
なお、利用者端末に登録された過去の予定を参照することで、利用者が過去にどのようなことを行っていたかを把握し、利用者が忘れていた予定に気付くこともある。例えば、利用者が滅多に行わない行動や予定は、利用者自身も直ぐに忘れてしまうが、利用者が過去の予定を参照することで、その利用者が忘れてしまいがちな行動や予定に気付かせてくれる場合もある。
【０００５】
しかし、利用者が利用者端末を操作して自発的に過去の予定を参照することは、頻度が少ない予定になるほど、また、表示回数が少なくなるほど、他予定に埋もれてしまい検索性や規則性判断が困難になる点から少なく、従来は、過去の予定が利用者に有効的に活用されることが少なかった。また、過去の予定は、利用者の行動、趣味、嗜好を把握するための情報源として有意義な情報であるにもかかわらず、その過去の予定が有効的に活用されることが少なく他の情報と共に埋もれてしまっていた。
【０００６】
このため、利用者の過去の予定を有効活用することが可能な仕組みの開発が所望されている。
【０００７】
なお、特許文献１（特開2007-25737号公報）には、繰り返しを伴う予定入力を容易に行う技術について開示されている。
【０００８】
特許文献１では、予定内容を表すデータ、ならびに期間を定める始期データ及び終期データを含む期間データの入力を受け付ける。更に、周期的な時点（毎日、毎週の特定曜日等）のそれぞれを特定する周期データの入力を受け付ける。そして、上記期間データによって特定される期間における、上記周期データによって特定される日または日時のそれぞれについての予定展開データを作成し、予定内容を表すデータ、期間データ、周期データ及び予定展開データを含むレコードを作成している。周期データは、周期的（間欠的）に訪れる時点のそれぞれを特定するデータであり、同一の予定内容の繰り返しの日時を規定する。期間データと周期データとにより、予定内容についての複数の特定の日時が定まる。予定展開データは、予定内容の実行、実施または実践すべき日時を含む。周期データによって予定内容の将来の実行、実施または実践の日時が集約的に規定される。このため、繰り返し訪れる予定について、その一つ一つの予定時刻を入力する必要がなくなり、繰り返しを伴う予定入力を容易に行うことを可能にしている。
【先行技術文献】
【特許文献】
【０００９】
【特許文献１】特開２００７−２５７３７号公報
【発明の概要】
【発明が解決しようとする課題】
【００１０】
上記特許文献１は、予定内容を表すデータを用いて、繰り返しを伴う予定入力を容易に行うことを可能にしている。しかし、特許文献１では、過去の予定の中で定期的に実施している内容を予め決められた周期、オーダ内容で管理しているだけであり、過去の予定の中で予定が不明で比較的頻度が少ない周期的な予定をシステムで発見するようにすることについては何ら考慮されていない。また、頻度の回数を計測する技術は既に存在するが、頻度が低く周期性があるものについて利用者に推薦するような技術は存在しない。頻度が低く周期性があるものとしては、例えば、給料日の外食や月刊誌の発売といった月の特定時期において利用者がよく行う行動や、クリスマスや夏休みのための旅行の予約や、１年に一回程度の結婚記念日や親類の誕生日といったイベント等があげられる。
【００１１】
本開示の目的は、利用者の過去の予定の中で比較的頻度が少ない予定を利用者に気付かせることにある。
【課題を解決するための手段】
【００１２】
本開示の一態様にかかる利用者端末は、
利用者の予定を記憶手段に登録する登録手段と、
前記記憶手段に登録された前記利用者の過去の予定の中で、当該予定の登録頻度が所定の値より小さい予定を特定する特定手段と、
前記特定手段で特定した予定を前記利用者に通知する通知手段と、
を有することを特徴とする。
【発明の効果】
【００１３】
本開示の一態様によれば、利用者の過去の予定の中で比較的頻度が少ない予定を利用者に気付かせることができる。
【図面の簡単な説明】
【００１４】
【図１】本実施形態の利用者端末100の構成例を示す図である。
【図２】記憶部10の構成例を示す図である。
【図３】利用者端末100の処理動作例を示す図である。
【発明を実施するための形態】
【００１５】
（本開示の一態様にかかる利用者端末100の実施形態の概要）
まず、図１を参照しながら、本開示の一態様にかかる利用者端末100の実施形態の概要について説明する。図１は、本実施形態の利用者端末100の構成例を示す図である。
【００１６】
本開示の一態様にかかる利用者端末100は、記憶手段10と、登録手段11と、特定手段12と、通知手段13と、を有して構成する。
【００１７】
記憶手段10は、利用者の予定を記憶する。
【００１８】
登録手段11は、利用者の予定を記憶手段10に登録する。
【００１９】
特定手段12は、登録手段11により記憶手段10に登録された利用者の過去の予定の中で、当該予定の登録頻度が所定の値より小さい予定を特定する。
【００２０】
通知手段13は、特定手段12で特定した予定を利用者に通知する。
【００２１】
本開示の一態様にかかる利用者端末100は、記憶手段10に登録された利用者の過去の予定の中で、当該予定の登録頻度が所定の値より小さい予定を利用者に通知する。
【００２２】
これにより、本開示の一態様にかかる利用者端末100は、利用者の過去の予定の中で比較的頻度が少ない予定を利用者に通知して利用者に気付かせることができ、予定を設定することができる。
【００２３】
さらに、予定に現れるキーワードを用い定期的な予定候補を選出することで、予め予定を設定せずに候補となる予定を、より強く利用者に推薦し、利用者に気付かせやすくすることができる。以下、添付図面を参照しながら、本開示の一態様にかかる利用者端末100の実施形態について詳細に説明する。
【００２４】
＜利用者端末100の構成例＞
まず、図１を参照しながら、本実施形態の利用者端末100の構成例について説明する。図１は、本実施形態の利用者端末100の構成例を示す図である。
【００２５】
本実施形態の利用者端末100は、記憶部10、登録部11、特定部12、通知部13を有して構成する。
【００２６】
記憶部10は、図２に示すように、利用者と、利用者の予定と、を対応付けて記憶する。利用者の予定は、日付、時刻と対応付けて時系列で記憶する。これにより、利用者の予定をカレンダー形式で管理することができる。記憶部10に記憶される利用者の予定は、過去の予定、将来の予定が含まれている。この記憶部10に記憶されている利用者の過去の予定を参照することで、利用者が過去にどのようなことを行っていたかを把握することができる。
【００２７】
登録部11は、利用者の予定を記憶部10に登録する。登録部11は、利用者の予定を記憶部10に登録することで、図２に示すように、利用者と、利用者の予定と、を対応付けて記憶することができる。利用者の予定を記憶部10に登録する方法は特に限定せず、任意の方法で登録することが可能である。例えば、利用者が利用者端末100を操作して利用者の予定を記憶部10に登録することが可能である。
【００２８】
特定部12は、登録部11により記憶部10に登録された利用者の過去の予定の中で、当該予定の登録頻度が所定の値より小さい予定を特定する。具体的には、特定部12は、登録部11により記憶部10に登録された利用者の過去の予定の登録回数を基に、過去の予定の登録頻度を予定毎に算出する。登録頻度は、登録回数そのものであっても良く、予定毎に重み付けを異ならせて算出しても良い。そして、特定部12は、算出した予定毎の登録頻度を基に、登録頻度が所定の値より小さい予定を特定する。
【００２９】
例えば、図２に示す利用者Ａの過去の２０１３年８月５日〜２０１３年９月５日までの１か月間の予定は、予定ＡがＡ１、Ａ２、Ａ３の３回、予定ＢがＢ１、Ｂ２の２回、予定ＣがＣ１、Ｃ２の２回、予定ＤがＤ１の１回であり、登録回数そのものを登録頻度とすると、予定Ａの登録頻度は３、予定Ｂの登録頻度は２、予定Ｃの登録頻度は２、予定Ｄの登録頻度は１となる。そして、所定の値が例えば、３であれば、登録頻度が３より小さい予定は、予定Ｂ、予定Ｃ、予定Ｄとなる。これにより、登録部11により記憶部10に登録された利用者の過去の予定の中で、１か月という期間の中で登録頻度が所定の値より小さい予定を特定することができる。上記の例では、登録頻度が所定の値より小さい予定として予定Ｂ、予定Ｃ、予定Ｄを特定することになる。登録頻度は、年間単位や１週間単位で算出するようにしても良い。
【００３０】
特定部12は、登録頻度が所定の値より小さい予定を特定した後に、その特定した予定の中で周期性のある予定を更に特定する。例えば図２に示す利用者Ａの過去の予定において登録頻度が所定の値より少ない、予定Ｂ、予定Ｃ、予定Ｄの期間を見てみると、予定Ｃは３０日毎、予定Ｄは３６５日毎の周期性があることがわかる。このため、特定部12は、周期性のある予定として、予定Ｃ、予定Ｄを特定することができる。なお、周期性についての範囲は、例えば日曜日を外す等の条件を踏まえて特定するようにしてもよい。また、予定の期間のデータが多く存在する場合は、統計的手法を用いて周期性のある予定か否かを判定するようにしても良い。また、周期性の検出したい範囲を、例えば、週毎、年毎、季節毎等の指定をしても良いし、年毎のように長い場合には、前後１か月以内等周期の長さとの誤差を予め決め周期性の許容範囲として設定しても良い。周期性を判断するためには、複数回数の繰り返しを確認して判断するが、年単位等の長い期間の場合回数が１度で周期性が確定できない場合も考えられる。この場合には周期性予定の候補として選出しても良い。
【００３１】
登録頻度を算出する予定は、単純な文字数が少ない予定で文字の打ち間違え等がない入力手段等の工夫があれば予定の同一名で周期を計測しても良いが、複雑な予定や文字の打ち間違え等が発生するような場合には、各予定のタイトル、詳細やメール等の内容を解析して各予定を区分し、その区分した予定毎に登録頻度を算出するようにする。予定の内容に所定のキーワードが含まれる場合に、そのキーワードの予定に区分する。そして、そのキーワードで区分した予定の登録頻度を算出する。予定を区分するためのキーワードは、予め記憶部10に設定しておく。キーワードとしては、結婚記念日、誕生日、旅行、会議、ショッピングなどの一般的なカレンダーで用いられるイベントを示す情報である。キーワードで区分とはイベントそのものでありキーワード区分と呼ぶ。このキーワード区分を示すキーワードは、利用者が任意に設定することが可能である。任意の設定方法の一例として、予定毎に予め区分されたキーワード情報を利用者端末100に設定しておき、利用者が予定を記憶部10に登録する際に、予め設定されたキーワード情報の中から登録する予定に該当するキーワード情報を任意に選択し、その選択したキーワード情報を予定と関連付けて記憶部10に登録する。これにより、キーワード情報を基に予定をキーワード区分としてイベントを区分することができる。このキーワード情報は、結婚記念日、誕生日、旅行、会議、ショッピングなどの一般的なカレンダーで用いられるイベントの情報である。このキーワード情報は、利用者が任意に設定することが可能である。イベントを区分するためのキーワード区分は、複数のキーワードで構成することも可能である。例えば、結婚記念日の場合には、結婚５周年記念等の表現が一部異なる可能性がある。この場合は、共通のキーワードである結婚と記念とから結婚５周年記念が結婚記念日と同一のキーワードの区分であると判定するようにする。前述の結婚記念の場合、銀婚式等異なるキーワードであっても同一のキーワード区分を示す。キーワード抽出の方法については漢字の連続や、形態素分析等複数存在するが手段は選ばない。複数手段を同時に利用しても良い。追加の手段の一つとしては、表現が同一のキーワードでなくてもある程度類似性のある表現のキーワードを同一のキーワード区分、つまり１つのイベントとして区分することができる。キーワード区分の同一性は、頻出するキーワードの数の出現回数で閾値を設けて判断しても良い。複数のキーワードからキーワード区分としてイベント毎に区分する手法はキーワード（複数キーワードの集合体）の数学の一般的な指標を利用し類似度から区別することが可能である。例えば、前述の結婚記念日の場合、自分自身の記念日と親の記念日を分けたい場合がある。この場合にはキーワードとして、自分の名前と親の名前等が追加されることになる。このような場合、予定を区分するためのキーワードは、予定の内容に頻出するキーワードの出現回数から自動的にまたは手動選択で自分の名前が出現している区分と、親の名前が出現している区分について区分の候補を選出し記憶部10に登録するようにすることが可能である。キーワードの取得方法としては、予定登録前後のメール等は、予定の内容について友人���出席者と頻繁に話題で触れることがあるため、予定登録時にメール等をチェックし、メールの内容に頻出するキーワードを用いてキーワードの候補を多くするようにすることも可能である。このようにイベントを示すキーワード区分は多様な構成とすることが可能であり、複数のキーワードで構成されたキーワード区分に代表されるイベントを可能とすることで、大学生時代の友人との定期的な飲み会のように、複雑なイベントも候補として抽出することができる。キーワード区分を複数のキーワードで判断する場合には、複数のキーワード区分に同一のキーワードが存在してもかまわない。日本代表のサッカーの試合というイベントと友人とのサッカー試合は、両方ともサッカーというキーワードが含まれるが、日本代表と、友人でイベントであるキーワード区分が区分されることができる。また、キーワード区分で発生するイベントの前後で発生するイベントをまとめて登録できるようにしても良い。前述の結婚式の例では、結婚式の前後で発生する美容室に行ったり二次会の予定等をまとめて登録することで、イベントに付帯する予定を気づかせることが可能となる。このような予定を結婚式のToDoリストとすることも可能になる。キーワード区分については、個人的な予定内の類似度で決めても良いし、サーバ等で多数同じ傾向を示すキーワード区分で分類することで、同様のキーワード区分のイベントを自分が実施する前にキーワード区分として利用しても良い。たとえば、バレンタインの前には一般的に、チョコや、バレンタインといったキーワードが抽出できるため、それらをキーワード区分として利用するようにしても良い。
【００３２】
通知部13は、特定部12で特定した予定を利用者に通知する。利用者に通知する方法としては、利用者端末100の表示部に表示したりする。利用者は、通知部13が通知した予定を参照することで、予定を把握することができる。その結果、利用者の過去の予定を利用者に気付かせることができる。利用者の過去の予定の中で比較的頻度が少ない予定は、利用者自身が忘れていることが多く、その予定をスケジュールに登録したり、適切なタイミングで遂行したりすることができない場合がある。例えば、季節の変わり目などのタイミングで行う衣替え、年末の年賀状の作成、帰省時のチケット取得、結婚記念日、誕生日などの予定があげられる。これらの予定は、利用者によって遂行するタイミングが異なるため、利用者が忘れがちな予定であり、利用者自身が全て記憶しておくことは困難な予定である。
【００３３】
本実施形態では、利用者の過去の予定の中で比較的頻度が少なく、周期性のある予定を利用者に通知する手段を提供して、利用者に気付かせることができる。その結果、利用者が忘れがちな予定をスケジュールに登録したり、その予定を遂行することができる。
【００３４】
なお、特定部12で特定した予定を利用者に通知するタイミングは、特定部12で特定した予定を利用者に通知するための所定の操作が行われた場合に、利用者に通知することが好ましい。これにより、利用者が利用者端末100を操作して、所定の操作を行った場合に、特定部12で特定した予定を利用者に通知することができる。所定の操作としては、例えば、利用者の予定（過去、将来を含む）を参照するための操作が行われた場合、将来の予定を登録するための操作が行われた場合などがあげられる。これにより、利用者が利用者端末100を操作して、所定の操作を行った場合に、特定部12で特定した予定を利用者にさりげなく通知することができる。特定部12で特定した予定を利用者に通知するための所定の操作は、利用者が任意に設定することも可能である。例えば、通知する期間を決め、毎月初めにその月に関係しそうな予定のみを表示する等が考えられる。
【００３５】
また、利用者に通知する予定は、スケジュールのタイムスケールを変更し、利用者に周期性のある予定があることを気付かせやすくする。１か月に１度の予定は、日単位のタイムスケールに変更したカレンダー形式で利用者に見せた方がわかりやすいし、１年に１度や１０周年等の予定等は更に大きな月単位や年単位のタイムスケールに変更したカレンダー形式で利用者に見せた方がわかりやすいためである。タイムスケールを利用することで、タイムスケールの単位と比較して細かい予定をカレンダー形式で利用者に見せないようにすることもできる。例えば、毎週の予定等は年単位のタイムスケールではカレンダー形式で利用者に見せないようにして必要な予定だけをカレンダー形式で利用者に見せるようにすることができる。
【００３６】
また、利用者に通知する予定は、特定部12で特定した予定の中から所定の操作が行われた時点の日時と相関のある予定を利用者に通知する。これにより、利用者の過去の予定の中で比較的頻度が少なく、周期性のある予定の中から、所定の操作が行われた日時や季節、年といった時間と相関のある予定のみを利用者に通知することができる。時間のスケールについては、同一のイベントを示すスケール区分毎に短い周期予定の単位から順に期間の長いスケールで相関性の度合いを確認することでスケール毎の予定との相関性有無を確認できる。例えば、所定の操作が行われた時点の日時が冬であれば、特定部12で特定した予定の中から冬の予定を利用者に通知することができる。
【００３７】
なお、特定部12で特定した予定を利用者のスケジュール候補として自動的に記憶部10に登録することも可能である。この場合は、通知部13が利用者にスケジュール候補の予定を通知した後に、利用者からのスケジュール候補の予定の登録要求を受け付けた場合に、その登録要求を受け付けたスケジュール候補の予定を利用者が実際に実行する予定として記憶部10に記憶することが好ましい。
【００３８】
＜利用者端末100の処理動作例＞
次に、図３を参照しながら、利用者端末100の一連の処理動作例について説明する。図３は、利用者端末100の一連の処理動作例を示す図である。
【００３９】
特定部12は、記憶部10に登録された利用者の過去の予定の中で、当該予定の登録頻度が所定の値より小さい予定を特定する（ステップS1）。具体的には、特定部12は、登録部11により記憶部10に登録された利用者の過去の予定の登録回数を基に、過去の予定の登録頻度を予定毎に算出する。そして、特定部12は、算出した予定毎の登録頻度を基に、登録頻度が所定の値より小さい予定を特定する。
【００４０】
次に、特定部12は、登録頻度が所定の値より小さい予定を特定した後に、その特定した予定の中で周期性のある予定を更に特定する（ステップS2）。これにより、特定部12は、利用者の過去の予定の中で比較的頻度が少なく、周期性のある予定を特定することができる。
【００４１】
通知部13は、特定部12で特定した予定を利用者に通知するための所定の操作が行われたか否かを判定する（ステップS3）。通知部13は、所定の操作が行われた場合に（ステップS3/Yes）、特定部12で特定した予定を利用者に通知し、手動または自動で予定を設定する（ステップS4）。これにより、利用者の過去の予定の中で比較的頻度が少なく、周期性のある予定を利用者に通知して、利用者に気付かせ、手動または自動で予定を登録することができる。
【００４２】
＜本実施形態の利用者端末100の作用・効果＞
このように、本実施形態の利用者端末100は、記憶部10に登録された利用者の過去の予定の中で、当該予定の登録頻度が所定の値より小さく、周期性のある予定を利用者に通知し予定を設定する。この場合、スケジュールのタイムスケールを変更し、利用者に周期的な予定があることを気付かせやすくするのが好ましい。
【００４３】
これにより、本実施形態の利用者端末100は、利用者の過去の予定の中で比較的頻度が少なく、周期性のある予定を利用者に通知して、利用者に気付かせ予定を設定することができる。
【００４４】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００４５】
例えば、上記実施形態の利用者端末100を構成する各部における制御動作は、ハードウェア、ソフトウェア、あるいは、両者の複合構成を用いて実行することも可能である。
【００４６】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００４７】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００４８】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００４９】
プログラムの形態としては、クラウド等によるネット上のサーバからの利用もありえる。一部のプログラムのみをコンピュータに転送して利用する形態もありえる。
【００５０】
また、上記実施形態の利用者端末100を構成する各部は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【００５１】
１００    利用者端末
１０    記憶部
１１    登録部
１２    特定部
１３    通知部
【図１】
2016197338.tif 000003
【図２】
2016197338.tif 000004
【図３】
2016197338.tif 000005